(57)【要約】【課題】  簡単な簡単と低コストであって、静菌効果の大きな抗菌剤の取付構造を提供する。【解決手段】  空気調和機におけるドレンパン８内であってドレンポンプ１６の吸込口２３近傍に、ドレン水Ｄと接触可能状態の抗菌剤１９，１９・・を具備した抗菌剤ユニットＫを配置して、ドレンパン８内における最低部となるドレンポンプ１６の吸込口２３近傍に配置された抗菌剤ユニットＫが、ドレンポンプ１６の作動時においても非作動時においても確実にドレン水Ｄに浸漬されるようにしている。【選択図】        図２
2006194491.tif 000002
【特許請求の範囲】
【請求項１】
熱交換器（６）および該熱交換器（６）からのドレン水（Ｄ）を受け止めるドレンパン（８）を備え、該ドレンパン（８）には、前記ドレン水（Ｄ）をくみ出すドレンポンプ（１６）を設けてなる空気調和機であって、前記ドレンパン（８）内であって前記ドレンポンプ（１６）の吸込口（２３）近傍には、前記ドレン水（Ｄ）と接触可能状態の抗菌剤（１９），（１９）・・を具備した抗菌剤ユニット（Ｋ）を配置したことを特徴とする空気調和機。
【請求項２】
前記抗菌剤ユニット（Ｋ）を、前記ドレンポンプ（１６）に取り付けたことを特徴とする請求項１記載の空気調和機。
【請求項３】
熱交換器（６）および該熱交換器（６）からのドレン水（Ｄ）を受け止めるドレンパン（８）を備え、該ドレンパン（８）には、前記ドレン水（Ｄ）をくみ出すドレンポンプ（１６）を設けてなる空気調和機であって、前記ドレンポンプ（１６）を構成する部材であって前記ドレン水（Ｄ）と接触し得る部材を、抗菌剤（１９），（１９）・・を練り込んだ抗菌材料により形成したことを特徴とする空気調和機。
【請求項４】
前記抗菌材料により形成される部材を、スクロール（２４）としたことを特徴とする請求項３記載の空気調和機。
【請求項５】
前記抗菌材料により形成される部材を、インペラ（２６）としたことを特徴とする請求項３および４のいずれか一項記載の空気調和機。
【発明の詳細な説明】
【技術分野】
【０００１】
本願発明は、空気調和機に関し、さらに詳しくはドレンパンおよびドレンポンプ下流側のドレン配管内の静菌効果（換言すれば、細菌の繁殖抑制効果）を最大限に発揮できるようにした空気調和機に関するものである。
【背景技術】
【０００２】
一般の空気調和機は、熱交換器および送風機を備え、前記熱交換器の下方には、ドレン水を受け止めるドレンパンを設けて構成されているが、ドレンパン内のドレン水には細菌が繁殖することが多い。
【０００３】
ドレン水に細菌が繁殖すると、スライムが生成され、異臭やドレン配管の詰まりを発生させるという不具合が生ずる。
【０００４】
上記不具合に対処するために、ドレンパンに抗菌剤を入れてドレン水に浸漬させて細菌の発生を防止することとされている（特許文献１参照）。
【０００５】
また、ドレンパン内面に貼設されるドレンパンシートに抗菌剤を練り込んで、ドレン水と接触させることにより細菌の発生を防止することとされている（特許文献２参照）。
【０００６】
【特許文献１】特開２０００−７４４０９。
【０００７】
【特許文献２】特開２０００−２０５５９１。
【発明の開示】
【発明が解決しようとする課題】
【０００８】
ところが、上記特許文献１に開示されているように、ドレンパン内に抗菌剤を配設する場合、抗菌剤の位置決めのために適当な支持部材が必要となり、構造が複雑化するとともにコストアップを招くおそれもある。また、上記特許文献２に開示されているように、ドレンパンシートに抗菌剤を練り込む場合、ドレンパンシートが薄い部材からなっているため、抗菌剤の絶対量が不足し勝ちとなり、長期間に亙っての使用ができず、交換を余儀なくされる。
【０００９】
本願発明は、上記の点に鑑みてなされたもので、簡単な簡単と低コストであって、静菌効果の大きな抗菌剤の取付構造を提供することを目的としている。
【課題を解決するための手段】
【００１０】
本願発明では、上記課題を解決するための第１の手段として、熱交換器６および該熱交換器６からのドレン水Ｄを受け止めるドレンパン８を備え、該ドレンパン８に、前記ドレン水Ｄをくみ出すドレンポンプ１６を設けてなる空気調和機において、前記ドレンパン８内であって前記ドレンポンプ１６の吸込口２３近傍に、前記ドレン水Ｄと接触可能状態の抗菌剤１９，１９・・を具備した抗菌剤ユニットＫを配置している。
【００１１】
上記のように構成したことにより、ドレンポンプ１６の吸込口２３近傍は、ドレンパン８内における最低部となるところから、この最低部近傍に配置された抗菌剤ユニットＫは、ドレンポンプ１６の作動時においても非作動時においても確実にドレン水Ｄに浸漬されることとなる。従って、抗菌剤１９，１９・・とドレン水Ｄとが常時接触状態を保持されることとなり、ドレン水Ｄへの静菌効果（即ち、スライム発生防止効果）を確保することができる。また、ドレンポンプ１６の運転時においては、抗菌剤１９，１９・・と接触したドレン水Ｄがドレンポンプ１６の下流側へ流れることとなり、ドレンポンプ１６の下流側における静菌効果が大きくなる。
【００１２】
本願発明では、さらに、上記課題を解決するための第２の手段として、上記第１の手段を備えた空気調和機において、前記抗菌剤ユニットＫを、前記ドレンポンプ１６に取り付けることもでき、そのように構成した場合、抗菌剤ユニットＫの取付構造を簡略化することができるとともに、抗菌剤ユニットＫの位置決めや抗菌剤ユニットＫの交換等も容易となる。
【００１３】
本願発明では、上記課題を解決するための第３の手段として、熱交換器６および該熱交換器６からのドレン水Ｄを受け止めるドレンパン８を備え、該ドレンパン８に、前記ドレン水Ｄをくみ出すドレンポンプ１６を設けてなる空気調和機において、前記ドレンポンプ１６を構成する部材であって前記ドレン水Ｄと接触し得る部材を、抗菌剤１９，１９・・を練り込んだ抗菌材料により形成している。
【００１４】
上記のように構成したことにより、ドレンポンプ１６の運転時においては、抗菌剤１９，１９・・と接触したドレン水Ｄがドレンポンプ１６の下流側へ流れることとなり、ドレンポンプ１６の下流側における静菌効果が大きくなる。また、ドレンポンプ１６の停止時における戻りドレン水Ｄが抗菌剤１９，１９・・に必ず接触するところから、抗菌剤１９，１９・・の洗浄が可能となり、静菌効果を確保することができる。
【００１５】
本願発明では、さらに、上記課題を解決するための第４の手段として、上記第３の手段を備えた空気調和機において、前記抗菌材料により形成される部材を、スクロールとすることもでき、そのように構成した場合、ドレンポンプ１６の作動時は勿論、非作動時においてもドレン水Ｄと抗菌剤１９，１９・・との接触を確保できることとなり、静菌効果が大となる。
【００１６】
本願発明では、さらに、上記課題を解決するための第５の手段として、上記第３又は第４の手段を備えた空気調和機において、前記抗菌材料により形成される部材を、インペラ２６とすることもでき、そのように構成した場合、インペラ２６は、ドレンポンプ作動時において回転駆動される部材であるので、抗菌剤１９，１９・・とドレン水Ｄとの接触率が高くなるところから、静菌効果が大となる。
【発明の効果】
【００１７】
本願発明の第１の手段によれば、熱交換器６および該熱交換器６からのドレン水Ｄを受け止めるドレンパン８を備え、該ドレンパン８に、前記ドレン水Ｄをくみ出すドレンポンプ１６を設けてなる空気調和機において、前記ドレンパン８内であって前記ドレンポンプ１６の吸込口２３近傍に、前記ドレン水Ｄと接触可能状態の抗菌剤１９，１９・・を具備した抗菌剤ユニットＫを配置して、ドレンパン８内における最低部となるドレンポンプ１６の吸込口２３近傍に配置された抗菌剤ユニットＫが、ドレンポンプ１６の作動時においても非作動時においても確実にドレン水Ｄに浸漬されるようにしたので、抗菌剤１９，１９・・とドレン水Ｄとが常時接触状態を保持されることとなり、ドレン水Ｄへの静菌効果（即ち、スライム発生防止効果）を確保することができるという効果がある。また、ドレンポンプ１６の運転時においては、抗菌剤１９，１９・・と接触したドレン水Ｄがドレンポンプ１６の下流側へ流れることとなり、ドレンポンプ１６の下流側における静菌効果が大きくなるという効果もある。
【００１８】
本願発明の第２の手段におけるように、上記第１の手段を備えた空気調和機において、前記抗菌剤ユニットＫを、前記ドレンポンプ１６に取り付けることもでき、そのように構成した場合、抗菌剤ユニットＫの取付構造を簡略化することができるとともに、抗菌剤ユニットＫの位置決めや抗菌剤ユニットＫの交換等も容易となる。
【００１９】
本願発明の第３の手段によれば、熱交換器６および該熱交換器６からのドレン水Ｄを受け止めるドレンパン８を備え、該ドレンパン８に、前記ドレン水Ｄをくみ出すドレンポンプ１６を設けてなる空気調和機において、前記ドレンポンプ１６を構成する部材であって前記ドレン水Ｄと接触し得る部材を、抗菌剤１９，１９・・を練り込んだ抗菌材料により形成しているので、ドレンポンプ１６の運転時においては、抗菌剤１９，１９・・と接触したドレン水Ｄがドレンポンプ１６の下流側へ流れることとなり、ドレンポンプ１６の下流側における静菌効果が大きくなるという効果がある。また、ドレンポンプ１６の停止時における戻りドレン水Ｄが抗菌剤１９，１９・・に必ず接触するところから、抗菌剤１９，１９・・の洗浄が可能となり、静菌効果を確保することができるという効果もある。
【００２０】
本願発明の第４の手段におけるように、上記第３の手段を備えた空気調和機において、前記抗菌材料により形成される部材を、スクロール２４とすることもでき、そのように構成した場合、ドレンポンプ１６の作動時は勿論、非作動時においてもドレン水Ｄと抗菌剤１９，１９・・との接触を確保できることとなり、静菌効果が大となる。
【００２１】
本願発明の第５の手段におけるように、上記第３又は第４の手段を備えた空気調和機において、前記抗菌材料により形成される部材を、インペラ２６とすることもでき、そのように構成した場合、インペラ２６は、ドレンポンプ作動時において回転駆動される部材であるので、抗菌剤１９，１９・・とドレン水Ｄとの接触率が高くなるところから、静菌効果が大となる。
【発明を実施するための最良の形態】
【００２２】
以下、添付の図面を参照して、本願発明の幾つかの好適な実施の形態について説明する。
【００２３】
本実施の形態にかかる空気調和機は、天井埋込式空気調和機とされており、図１に示すように、天井Ｆに形成された矩形形状の開口１の上方に位置して天井裏の棟木（図示省略）に対して吊りボルト２，２を介して吊り下げ支持された空気調和機本体３と、前記開口１を覆う化粧パネル４とによって構成されている。
【００２４】
前記空気調和機本体１は、略直方体形状のケーシング５内に熱交換器６および送風機７を配設するとともに、前記熱交換器６の下方には、該熱交換器６から落下するドレン水Ｄを受け止めるドレンパン８が配設されている。符号９はベルマウス、１０は空気通路である。
【００２５】
前記化粧パネル４は、前記開口１を覆うに足る大きさを有する矩形形状とされており、その中央部には、空気吸込口１１が形成され、該空気吸込口１１の回りには、前記空気通路１０とそれぞれ連通する４個の空気吹出口１３が形成されている。
【００２６】
前記熱交換器６は、開放部を有する略環状とされており、例えばクロスフィンコイルタイプの熱交換器とされている。
【００２７】
前記ドレンパン８は、前記熱交換器６の形状と対応するように、開放部を有する略環状とされており、断面Ｕ字状とされている。また、このドレンパン８における一端部側には、ドレン水Ｄを汲み上げるドレンポンプ１６が配設されている。符号１７はドレンポンプ１６の吐出管、１８は現地配管されるドレン配管である。
【００２８】
第１の実施の形態
図２には、本願発明の第１の実施の形態にかかる空気調和機における抗菌剤の取付構造が示されている。
【００２９】
この場合、前記ドレンパン８内であって前記ドレンポンプ１６の吸込口２３近傍には、ドレン水Ｄと接触可能状態の抗菌剤１９，１９・・を具備した抗菌剤ユニットＫが配置されている。該抗菌剤ユニットＫは、前記ドレンポンプ１６のスクロール２４に対して支持部材２５を介して取り付けられている。通常、ドレンポンプ１６の吸込口２３を、ドレンパン８内において最低部となるドレン溜まり部８ａに臨ませることとなっている。このようにすると、ドレンポンプ１６によるドレン水Ｄの汲み上げを確実ならしめることができる。
【００３０】
上記のように構成すると、ドレンパン８内における最低部となるドレン溜まり部８ａに臨むドレンポンプ１６の吸込口２３近傍に配置された抗菌剤ユニットＫが、ドレンポンプ１６の作動時においても非作動時においても確実にドレン水Ｄに浸漬されることとなる。従って、抗菌剤１９，１９・・とドレン水Ｄとが常時接触状態を保持されることとなり、ドレン水Ｄへの静菌効果（即ち、スライム発生防止効果）を確保することができる。また、ドレンポンプ１６の運転時においては、抗菌剤１９，１９・・と接触したドレン水Ｄがドレンポンプ１６の下流側へ流れることとなり、ドレンポンプ１６の下流側における静菌効果が大きくなる。しかも、抗菌剤ユニットＫを、前記ドレンポンプ１６のスクロール２４に対して支持部材２５を介して取り付けるようにしているため、抗菌剤ユニットＫの取付構造を簡略化することができるとともに、抗菌剤ユニットＫの位置決めや抗菌剤ユニットＫの交換等も容易となる。
【００３１】
第２の実施の形態
図３には、本願発明の第２の実施の形態にかかる空気調和機における抗菌剤の取付構造が示されている。
【００３２】
この場合、抗菌剤ユニットＫは、ドレンポンプ１６のスクロール２４の下部外面（吸込口２３の外周部を含む）に対して直接取り付けられている。このようにすると、ドレンパン８内における最低部となるドレン溜まり部８ａに臨むドレンポンプ１６のスクロール２４の外面に配置された抗菌剤ユニットＫが、ドレンポンプ１６の作動時においても非作動時においても確実にドレン水Ｄに浸漬されることとなる。従って、抗菌剤１９，１９・・とドレン水Ｄとが常時接触状態を保持されることとなり、ドレン水Ｄへの静菌効果（即ち、スライム発生防止効果）を確保することができる。また、ドレンポンプ１６の運転時においては、抗菌剤１９，１９・・と接触したドレン水Ｄがドレンポンプ１６の下流側へ流れることとなり、ドレンポンプ１６の下流側における静菌効果が大きくなる。しかも、抗菌剤ユニットＫを、前記ドレンポンプ１６のスクロール２４の外面に直接取り付けるようにしているため、抗菌剤ユニットＫの取付構造をより一層簡略化することができるとともに、抗菌剤ユニットＫの位置決めや抗菌剤ユニットＫの交換等も容易となる。
【００３３】
ところで、上記各実施の形態における抗菌剤ユニットＫは、例えば図４（イ）の正面図、（ロ）の内部拡大図および図５（イ）の平面図、（ロ）の内部拡大図に示すように、多数の開孔部２１，２１・・を有する円筒形状の保持容器２０内に粒状またはペレット状の抗菌剤１９，１９・・を収容して構成される場合もあり、例えば図６（イ）の正面図、（ロ）の内部拡大図および図７（イ）の平面図、（ロ）の内部拡大図に示すように、多数の開孔部２１，２１・・を有するシート形状の保持容器２０内に粒状またはペレット状の抗菌剤１９，１９・・を収容して構成される場合もある。なお、図７（ハ）の内部拡大図に示すように、保持容器２０を外周部を溶着した網状部材で構成する場合もある。これらの場合、開孔部２１の大きさは、抗菌剤１９の粒子径あるいはペレット径より小さくされている。なお、保持容器２０の形状は、上記以外の形状（例えば、多角形筒形状あるいは楕円筒形状）でもよく、その壁面は、網、多孔質、不織布、パンチングプレート等のように開孔部（明確な開口部がなくとも水の出入りが可能であればよい）をもつものであればなんでも良い。また、開孔部の形状はなんでもよい。また、保持容器２１の材質は、金属、合成樹脂、布等のように水に対して大局的に不溶性のものであれば良い。さらに、保持容器２０は、自立性（即ち、容器自体で形状を保持できるもの）があってもなくても（例えば、袋のように容器自体で形状を保てないもの）良い。
【００３４】
また、図８（イ）の正面図、（ロ）の内部拡大図および図９（イ）の平面図、（ロ）の内部拡大図に示すように、合成樹脂等の材料からなる保持材２２に抗菌剤１９，１９・・を練り込んで抗菌剤ユニットＫを構成する場合もある。この場合、保持材２２の形状は、円柱形状、多角形柱形状、楕円柱形状、シート形状等のいずれでもよい。
【００３５】
第３の実施の形態
図１０には、本願発明の第３の実施の形態にかかる空気調和機における抗菌剤の取付構造が示されている。
【００３６】
この場合、ドレンポンプ１６を構成する部材であってドレン水Ｄと接触し得る部材を、抗菌剤１９，１９・・を練り込んだ抗菌材料により形成している。本実施の形態の場合、具体的には、ドレンポンプ１６のスクロール２４の内外周面およびインペラ２６を構成する受け皿２７および補助羽根２８，２８・・を抗菌剤１９，１９・・を練り込んだ抗菌材料により形成している。符号２９は主羽根、３０は回転軸、３１は吐出口である。
【００３７】
上記のように構成したことにより、ドレンポンプ１６の運転時においては、抗菌剤１９，１９・・と接触したドレン水Ｄがドレンポンプ１６の下流側へ流れることとなり、ドレンポンプ１６の下流側における静菌効果が大きくなる。また、ドレンポンプ１６の停止時における戻りドレン水Ｄが抗菌剤１９，１９・・に必ず接触するところから、抗菌剤１９，１９・・の洗浄が可能となり、静菌効果を確保することができる。しかも、ドレンポンプ１６の作動時は勿論、非作動時においてもドレン水Ｄと抗菌剤１９，１９・・との接触を確保できることとなり、静菌効果が大となる。また、インペラ２６は、ドレンポンプ作動時において回転駆動される部材であるので、抗菌剤１９，１９・・とドレン水Ｄとの接触率が高くなるところから、静菌効果がより一層大となる。
【００３８】
第４の実施の形態
図１１には、本願発明の第４の実施の形態にかかる空気調和機における抗菌剤の取付構造が示されている。
【００３９】
この場合、インペラ２６を構成する主羽根２９を、抗菌剤１９，１９・・を練り込んだ抗菌材料により形成している。このようにすると、インペラ２６は、ドレンポンプ作動時において回転駆動される部材であるので、抗菌剤１９，１９・・とドレン水Ｄとの接触率が高くなるところから、静菌効果がより一層大となる。その他の構成および作用効果は、第３の実施の形態におけると同様なので説明を省略する。
【００４０】
ところで、上記各実施の形態において使用されている抗菌剤としては、銀（Ａｇ）、銅（Ｃｕ）、亜鉛（Ｚｎ）、錫（Ｓｎ）などの無機化合物を主体とする無機系抗菌剤、さらにパラクロロメタキシレノールおよび２−５−ジクロロ−４−ブロモフェノールなどのフェノール類、Ｎ−（フロロジクロロメチルチオ）−フタルイミドおよびＮ，Ｎ−ジメチル−Ｎ′−フェニル−Ｎ′−（フロロジクロロメチルチオ）−スルファミドなどのハロアルキル類、その他の有機系抗菌剤などがある。
【００４１】
また、上記無機系抗菌剤の場合、抗菌剤を、例えば炭酸カルシウム、ゼオライト、カオリンクレー、珪藻土、タルク、ベンナイト、セラミックス、活性炭、アパタイトなどに担持させた無機系抗菌剤を採用することもできる。セラミックス、活性炭、アパタイトなどに担持させた無機系抗菌剤は抗菌性が高く、非揮発性であり、樹脂と混練し易いなどのメリットがある。さらに、無機系抗菌剤を担持した水溶解性ガラス等のように、水に溶けることによって殺菌効果のある抗菌剤が溶出する粒状又はペレット状のものなどがある。
【００４２】
上記各実施の形態においては、天井埋込式の空気調和機について説明したが、本願発明は、その他の形式の空気調和機にも適用可能なことは勿論である。
【図面の簡単な説明】
【００４３】
【図１】本願発明の実施の形態にかかる空気調和機の縦断面図である。
【図２】本願発明の第１の実施の形態にかかる空気調和機における抗菌剤の取付構造を示す断面図である。
【図３】本願発明の第２の実施の形態にかかる空気調和機における抗菌剤の取付構造を示す断面図である。
【図４】本願発明の第１および第２の実施の形態にかかる空気調和機におけるドレンパンにおいて使用される抗菌剤の使用形態例Ｉを示すものであり、（イ）は正面図、（ロ）は内部拡大図である。
【図５】本願発明の第１および第２の実施の形態にかかる空気調和機におけるドレンパンにおいて使用される抗菌剤の使用形態例Ｉを示すものであり、（イ）は平面図、（ロ）は内部拡大図である。
【図６】本願発明の第１および第２の実施の形態にかかる空気調和機におけるドレンパンにおいて使用される抗菌剤の使用形態例ＩＩを示すものであり、（イ）は正面図、（ロ）は内部拡大図である。
【図７】本願発明の第１および第２の実施の形態にかかる空気調和機におけるドレンパンにおいて使用される抗菌剤の使用形態例ＩＩを示すものであり、（イ）は平面図、（ロ）は内部拡大図である。
【図８】本願発明の第１および第２の実施の形態にかかる空気調和機におけるドレンパンにおいて使用される抗菌剤の使用形態例ＩＩＩを示すものであり、（イ）は正面図、（ロ）は内部拡大図である。
【図９】本願発明の第１および第２の実施の形態にかかる空気調和機におけるドレンパンにおいて使用される抗菌剤の使用形態例ＩＩＩを示すものであり、（イ）は平面図、（ロ）は内部拡大図、（ハ）は変形例を示す内部拡大図である。
【図１０】本願発明の第３の実施の形態にかかる空気調和機における抗菌剤の取付構造を示す縦断面図である。
【図１１】本願発明の第４の実施の形態にかかる空気調和機における抗菌剤の取付構造を示す横断面図である。
【符号の説明】
【００４４】
６は熱交換器
８はドレンパン
８ａはドレン溜まり部
１６はドレンポンプ
１９は抗菌剤
２３は吸込口
２４はスクロール
２６はインペラ
Ｄはドレン水
Ｋは抗菌剤ユニット
【図１】
2006194491.tif 000003
【図２】
2006194491.tif 000004
【図３】
2006194491.tif 000005
【図４】
2006194491.tif 000006
【図５】
2006194491.tif 000007
【図６】
2006194491.tif 000008
【図７】
2006194491.tif 000009
【図８】
2006194491.tif 000010
【図９】
2006194491.tif 000011
【図１０】
2006194491.tif 000012
【図１１】
2006194491.tif 000013